(57)【要約】【課題】コントローラの冷却を促進するブロワモータ組立体を提供する。【解決手段】ブロワモータ３０を収容するブロワモータケース１２を有するブロワモータ組立体１０が提供される。ブロワモータケース１２のコントローラ保持部４２は、ブロワモータのコントローラ４０を、ブロワモータケース１２内に収容するように構成されている。空気入口５０は、ブロワモータケース１２の外に形成されている。空気通路５４は、空気入口５０からコントローラ保持部４２まで延びており、コントローラ４０に空気を導く。フランジ６０は、空気入口５０の反対側の空気通路５４の端部にある。フランジ６０は、コントローラ保持部４２およびコントローラ４０に対向して配置され、コントローラ４０に、空気入口５０および空気通路５４を通過した空気流を導く。【選択図】図２
2019077439.tif 000002
【特許請求の範囲】
【請求項１】
内部にブロワモータを収容するブロワモータケースと、
前記ブロワモータのコントローラを、前記ブロワモータケース内に収容するように構成された前記ブロワモータケースのコントローラ保持部と、
前記ブロワモータケースの外に形成された空気入口と、
前記ブロワモータケースによって形成され、前記空気入口から前記コントローラ保持部まで延びて前記コントローラに空気を導く空気通路と、
前記空気入口の反対側における前記空気通路の端部に設けられた前記ブロワモータケースのフランジとを備え、
前記フランジは、前記空気入口と前記空気通路とを通った空気を前記コントローラに向けるように、前記フランジは、前記コントローラ保持部と前記コントローラとに対向して配置されているブロワモータ組立体。
【請求項２】
さらに、ブロワを回転させるシャフトを備え、前記シャフトは、前記ブロワモータケースの第１の端部から延び出しており、前記第１の端部は、第２の端部の反対側にある請求項１に記載のブロワモータ組立体。
【請求項３】
前記空気入口は、前記ブロワモータケースの前記第１の端部にある請求項２に記載のブロワモータ組立体。
【請求項４】
前記空気入口は、前記ブロワモータケースの外周にある請求項３に記載のブロワモータ組立体。
【請求項５】
前記フランジは、前記コントローラ保持部に対向する庇状壁である請求項１から請求項４のいずれかに記載のブロワモータ組立体。
【請求項６】
前記フランジは、前記シャフトに対して垂直に延在している請求項２から請求項４のいずれかに記載のブロワモータ組立体。
【請求項７】
前記フランジは、前記空気通路を区画する前記ブロワモータケースの一部と一体である請求項１から請求項６のいずれかに記載のブロワモータ組立体。
【請求項８】
前記フランジは、前記コントローラの上における前記空気通路の空気流を案内する案内壁である請求項１から請求項７のいずれかに記載のブロワモータ組立体。
【請求項９】
前記空気通路は、前記空気入口から、前記ブロワモータによって回転可能なシャフトに向かって延びている請求項１から請求項８のいずれかに記載のブロワモータ組立体。
【請求項１０】
前記空気通路は、前記シャフトに対して垂直に延在している請求項９に記載のブロワモータ組立体。
【請求項１１】
ブロワモータケースと、
前記ブロワモータケース内に収容されたブロワモータと、
前記ブロワモータケース内から延び出しており、前記ブロワモータによって回転可能なシャフトと、
前記ブロワモータケース内に形成されたコントローラ保持部と、
前記コントローラ保持部に取り付けられたコントローラと、
前記ブロワモータケースの外に形成された空気入口と、
前記空気入口から前記コントローラ保持部まで延在しており、前記コントローラを冷却するための空気を前記コントローラに導く前記ブロワモータケースの空気通路と、
前記空気入口の反対側における前記空気通路の端部に設けられた前記ブロワモータケースのフランジとを備え、
前記フランジは、前記空気入口と前記空気通路とを通った空気を前記コントローラに向けるように、前記フランジは、前記コントローラ保持部と前記コントローラとに対向して配置されているブロワモータ組立体。
【請求項１２】
前記シャフトおよび前記空気通路は、互いに垂直に延びている請求項１１に記載のブロワモータ組立体。
【請求項１３】
前記フランジ及び前記シャフトは、互いに垂直に延びている請求項１１または請求項１２に記載のブロワモータ組立体。
【請求項１４】
前記シャフトは、前記ブロワモータケースの第２の端部の反対側にある前記ブロワモータケースの第１の端部から延び出しており、
前記空気入口は、前記ブロワモータケースの前記第１の端部に区画されている請求項１１から請求項１３のいずれかに記載のブロワモータ組立体。
【請求項１５】
前記空気入口は、前記ブロワモータケースの外周にある請求項１１から請求項１４のいずれかに記載のブロワモータ組立体。
【請求項１６】
前記フランジは、空気流のための庇状壁を提供している請求項１１から請求項１５のいずれかに記載のブロワモータ組立体。
【請求項１７】
前記フランジは、前記コントローラ保持部に対向する壁である請求項１１から請求項１６のいずれかに記載のブロワモータ組立体。
【請求項１８】
前記フランジは、前記コントローラの全体よりも小さく延在している請求項１１から請求項１７のいずれかに記載のブロワモータ組立体。
【請求項１９】
前記空気通路は、前記空気入口から前記シャフトに向かって延びている請求項１１から請求項１８のいずれかに記載のブロワモータ組立体。
【請求項２０】
前記フランジは、前記空気通路と一体である請求項１１から請求項１９のいずれかに記載のブロワモータ組立体。
【発明の詳細な説明】
【技術分野】
【０００１】
この開示は、暖房、換気、空調システム用のブロワモータ組立体に関する。暖房、換気、空調システムは、ＨＶＡＣシステムと呼ばれる。
【背景技術】
【０００２】
この項は、開示に関連する背景技術を提供するが、それは必ずしも従来技術ではない。
【０００３】
ＨＶＡＣシステム用のブロワモータ組立体は、典型的には、最適に動作するように冷却されなければならないコントローラを含む。近年、ブロワモータの空気流量に関する要求が増加している。より大量の空気を送風するために、ブロワモータはより大きなモータを備える傾向があり、コントローラを冷却する必要性が増し、より大きなケースが必要とされている。従って、コントローラを冷却するためにコントローラに対して大量の空気を供給できる組立体が望ましい。この開示は、コントローラに十分な空気を導き、コントローラを十分に冷却することができるブロワモータ組立体を提供する。当業者であれば、この開示が多くの追加的な利点を提供することを理解するであろう。
【発明の概要】
【０００４】
この項は、開示の概要を提供し、その全範囲またはその全特徴の包括的な開示ではない。
【０００５】
この開示は、ブロワモータを内部に収容するためのブロワモータケースを含むブロワモータ組立体を提供する。ブロワモータケースのコントローラ保持部は、ブロワモータのコントローラを、ブロワモータケース内に収容するように構成されている。空気入口は、ブロワモータケースの外に形成されている。ブロワモータケースの空気通路は、空気入口からコントローラ保持部まで延びており、コントローラに空気を導く。ブロワモータケースのフランジは、空気入口の反対側の空気通路の端部にある。フランジは、コントローラ保持部およびコントローラに対向して配置され、コントローラに、空気入口および空気通路を通過した空気流を導く。
【０００６】
さらに他の適用可能な領域は、ここで提供される説明から明らかになるであろう。この概要における説明および特定の実施形態は、図示のためだけを意図されており、この開示の範囲を限定するものではない。
【図面の簡単な説明】
【０００７】
ここに記載された図面は、選択された実施形態を図示するだけのものであって、すべての実用的な可能性を示すものではなく、この開示の範囲を限定するものではない。
【０００８】
【図１】図１は、この開示によるブロワモータ組立体の平面図である。
【０００９】
【図２】図２は、図２の２−２線における断面図である。
【００１０】
複数の図面の図示にわたって、対応する参照符号は、対応する部分を指している。
【発明を実施するための形態】
【００１１】
以下、複数の実施形態を添付の図面を参照しながら詳細に説明する。
【００１２】
図１および図２において、この開示におけるブロワモータ組立体は、参照番号１０で示されている。ブロワモータ組立体１０は、ブロワを回転させるように構成され、ブロワは、空気流を生成する。ブロワモータ組立体１０は、任意の適切な加熱、換気、空調システム（ＨＶＡＣシステム）のような気流の発生を必要とする任意の適切なシステムで使用することができる。適切なＨＶＡＣシステムには、乗用車、レクリエーション車両、大量輸送車両、建設車両および機器、航空機、船舶などのＨＶＡＣシステムなどの車両用ＨＶＡＣシステムが含まれる。ブロワモータ組立体１０は、任意の適切な非車両用ＨＶＡＣシステムと共に使用することもできる。
【００１３】
ブロワモータ組立体１０は、一般的に、ブロワモータケース１２を含む。ブロワモータケース１２は、モータホルダとも呼ばれる。ブロワモータケース１２は、第１の端部１４と、第１の端部１４に対向する第２の端部１６とを有する。ブロワモータケース１２は、シャフト２０を回転可能に支持している。シャフト２０は、ブロワモータケース１２に取り付けられているともいえる。以下の説明において、軸方向の語は、シャフト２０の軸方向を示す。周方向の語は、シャフト２０の回転方向を示す。シャフト２０は、少なくとも第１の端部１４から延び出しており、ブロワに接続されるように構成されている。シャフト２０はブロワを回転させることによって、空気流を発生させる。シャフト２０は、ブロワモータ３０によって回転させられる。ブロワモータ３０は、任意の適切なモータとすることができる。ブロワモータ３０は、任意の適切なコントローラ４０によって制御される。コントローラ４０は、ブロワモータコントローラとも呼ばれる。コントローラ４０は、ブロワモータケース１２のコントローラ保持部４２によってブロワモータケース１２内に取り付けられている。コントローラ保持部４２は、コントローラ４０を受け入れて保持するようなサイズおよび／または形状である。コントローラ保持部４２は、ブロワモータケース１２の任意の適切な一部分によって提供することができる。コントローラ保持部４２は、また、コントローラ４０をブロワモータケース１２内にしっかりと保持するための任意の適切な別個の保持部材であってもよい。
【００１４】
ブロワモータケース１２は、その外側に空気入口５０を区画している。図示された例では、空気入口５０は、ブロワモータケース１２の外周５２の第１の端部１４に開設されている。しかしながら、空気入口５０は、十分な空気流を捕捉するのに適したブロワモータケース１２の任意の他の位置に配置することができる。ブロワモータケース１２は、さらに、コントローラ４０を冷却するためにコントローラ４０に空気流を向けるために、空気入口５０からコントローラ４０に延びる空気通路５４を区画している。図示の例では、空気通路５４は、シャフト２０の長さ方向（軸方向）に対してほぼ垂直な方向に関して、径方向外側からシャフト２０に向かって径方向に沿って延びている。空気入口５０は、図示の例ではシャフト２０とほぼ平行に延び出している。
【００１５】
ブロワモータケース１２はさらに、空気通路５４のためのフランジ６０を区画している。フランジ６０は、空気入口５０とは反対側の空気通路５４の端部から延び出している。フランジ６０は、空気通路５４からシャフト２０に向かって延びている。フランジ６０は、コントローラ４０およびコントローラ保持部４２の少なくとも一部に対して対向している。フランジ６０は、一般に、コントローラ４０を冷却するために、空気通路５４を流れる空気流をコントローラ４０に沿って流れるように導く庇状壁である。
【００１６】
図示の例では、空気入口５０から空気通路５４を流れる空気流Ａは、空気入口５０と反対側の空気通路５４の端部でコントローラ４０から離れる方向に流れる傾向がある。フランジ６０は、一般的に、空気流をコントローラ４０に向けて指向させることによって、空気流をコントローラ４０に向かわせ、コントローラ４０を冷却するためにコントローラ４０に集中した空気流を提供するように方向付ける庇である。その結果、ブロワモータ３０を大きくして空気流を増加させることができ、フランジ６０が追加的な空気流をコントローラ４０に送るので、ブロワモータ３０のサイズの増加に起因するコントローラ４０への追加的な歪みを抑制することができるようにコントローラ４０を冷却することができる。フランジ６０は、多様な追加的な有利な利点を提供する。利点のひとつは、水のプールを形成しないことである。利点のひとつは、異物の蓄積が抑制されることである。これらの利点は、さらに、ブロワの回転が阻止されたり、不快な臭いが発生するといった不具合を抑制する。利点のひとつは、騒音が少ないことである。騒音は、空洞脈動によって発生する可能性がある。ひとつの利点は、性能の向上である。空洞の追加は、望ましくない空気流の妨害を生じる可能性がある。
【００１７】
ブロワは、送風機とも呼ばれる。ブロワは、羽根車でもある。ブロワは、ひとつの形態では、遠心ファン、シロッコファンと呼ばれる羽根車である。ブロワは、他の形態では、軸流ファンと呼ばれる羽根車である。ブロワモータケース１２は、いわゆる扁平ケースである。第１の端部１４は、第１の側面とも呼ばれる。第２の端部１６は、第２の側面とも呼ばれる。
【００１８】
図１に図示されるように、ブロワモータケース１２は、概ね円盤状である。ブロワモータケース１２は、円形部分と、円形部分から径方向外側へ突出する突出部分とを有している。円形部分は、ブロワモータ３０およびコントローラ４０のための円形範囲を占めている。円形部分の中央部は、ブロワモータ３０としての筒状部分である。図２において、ブロワモータ３０の内部構成は省略されている。ブロワモータ３０は、ひとつの形態では、アウタロータ型のブラシレスモータである。円形部分の周縁部において、筒状部分の径方向外側に全周にわたって環状に広がる環状部分は、コントローラ４０のための電子回路を収容している。環状部分は、ブロワモータ３０を支持するためのブラケットを兼ねている。環状部分は、径方向外側に向けて突出する３つのタブを有する。３つのタブは、ブロワモータケース１２を３等分する。３つもタブは、ブロワモータケース１２を固定するために利用される。
【００１９】
突出部分は、円形部分の一部分だけから径方向外側に突出している。突出部分は、舌状とも呼ぶことができる。突出部分突出部分は、３つのタブが区画するひとつの角度範囲から径方向外側に突出している。ひとつの角度範囲は、約１２０度、またはそれ以下である。突出部分は、径方向外側部分と、径方向内側部分とを有している。突出部分は、図示されるように、径方向内側部分では、ひとつの角度範囲（約１２０度）にわたって広がっており、径方向外側部分では、それより狭い角度範囲を占めている。突出部分は、径方向内側部分で、ブロワモータ３０およびコントローラ４０のための円形部分と接している。突出部分は、周方向に関して、径方向外側部分から径方向内側部分へ向けて徐々に拡大している。径方向内側部分は、環状部分の径方向外側において、環状部分の外周に沿って円弧状に延びている。径方向外側部分は、径方向に沿ってほぼ直線的に延び出している。径方向外側部分は、周方向に関して、空気入口５０よりやや広い幅を有する。言い換えると、空気入口５０の周方向における幅は、径方向外側部分よりやや小さい。空気入口５０は、やや円弧状に開口している。
【００２０】
空気入口５０は、突出部分に開口している。空気入口５０は、突出部分のうちの外周部分に開口している。空気入口５０は、突出部分から軸方向に突出した筒状部分の先端に開口している。空気入口５０は、周方向に関して所定の角度範囲にわたって開口している。空気通路５４は、突出部分の内部を占めている。空気通路５４は、突出部分の中において、広い隙間を区画している。この結果、図２に図示されるように、空気は、Ｌ字状に流れる。空気は、空気入口５０から軸方向に流れた後、径方向内側へ向けて流れる。このとき、空気は、突出部分に沿って周方向に広がりながら流れる。空気は、空気通路５４が提供する広い隙間を流れる。
【００２１】
円形部分と突出部分との境界には、段差がある。円形部分は、シャフト２０に沿って所定の軸方向厚さをもつ。突出部分の軸方向厚さは、円形部分の軸方向厚さより薄い。突出部分が提供する空気通路５４の径方向内側端には、フランジ６０が設けられている。フランジ６０は、段差において、ブロワモータケース１２の内部に向けて突出している。フランジ６０の突出方向は、径方向である。フランジ６０は、周方向に沿って広がっている。フランジ６０は、円形部分と突出部分との境界部分に配置されている。ひとつの形態では、フランジ６０は、円弧状の境界部分にわたって設けられている。他の形態では、フランジ６０は、コントローラ４０の一部分だけに対応するように、狭い角度範囲だけに設けられてもよい。
【００２２】
フランジ６０は、ブロワモータケース１２から庇状に突出している。よって、ブロワモータケース１２とフランジ６０との間には、ポケットが形成される。突出部分は、水および／または異物がポケットに溜まらないように配置される。具体的には、ブロワモータ組立体１０が車両などに装着された状態において、水および／または異物がポケットに溜まらないようにブロワモータケース１２が配置される。例えば、ブロワモータケース１２は、フランジ６０の上を水および／または異物が流れ落ちるように配置される。
【００２３】
空気は、空気入口５０から突出部分に入り、突出部分の中を径方向に流れる。このとき、空気は、突出部分の中の径方向外側部分を径方向に流れた後に、径方向内側部分において周方向に広がる。これにより、周方向における広い角度範囲にわたって広がるコントローラ４０に空気が供給される。空気は、やがて突出部分から円形部分へと流れ込む。このとき、フランジ６０は、空気がコントローラ４０に沿って流れるように仕向ける。フランジ６０は、コントローラ４０の表面との間に、狭い隙間を形成する。この狭い隙間は、空気通路５４が突出部分において提供する広い隙間より狭い。さらに、コントローラ４０と、ブロワモータケース１２の円形部分（第１の端部１４）との間には、広い隙間が形成されている。フランジ６０とコントローラ４０との間の狭い隙間は、この広い隙間より狭い。フランジ６０とコントローラ４０との間の狭い隙間は、空気の流速を高めることにより、空気による冷却作用を促進する。フランジ６０は、空気通路５４の壁から径方向内側に連続している。空気通路５４とフランジ６０とは、連続した平面を形成している。フランジ６０は、軸方向に関して、コントローラ４０と重複して位置づけられている。フランジ６０とコントローラ４０の一部分とは、軸方向に関して重複している。フランジ６０は、コントローラ４０の径方向外側部分とだけ、軸方向に関して重複している。
【００２４】
この明細書における開示は、下記の特徴的な概念を含んでいる。（特徴１）内部にブロワモータ３０を収容するブロワモータケース１２と、ブロワモータ３０のコントローラ４０を、ブロワモータケース１２内に収容するように構成されたブロワモータケース１２のコントローラ保持部４２と、ブロワモータケース１２の外に形成された空気入口５０と、ブロワモータケース１２によって形成され、空気入口５０からコントローラ保持部４２まで延びてコントローラ４０に空気を導く空気通路５４と、空気入口５０の反対側における空気通路５４の端部に設けられたブロワモータケース１２のフランジ６０とを備え、フランジ６０は、空気入口５０と空気通路５４とを通った空気をコントローラ４０に向けるように、フランジ６０は、コントローラ保持部４２とコントローラ４０とに対向して配置されているブロワモータ組立体。（特徴２）さらに、ブロワを回転させるシャフト２０を備え、シャフト２０は、ブロワモータケース１２の第１の端部１４から延び出しており、第１の端部１４は、第２の端部１６の反対側にある特徴１に記載のブロワモータ組立体。（特徴３）空気入口５０は、ブロワモータケース１２の第１の端部１４にある特徴２に記載のブロワモータ組立体。（特徴４）空気入口５０は、ブロワモータケース１２の外周にある特徴３に記載のブロワモータ組立体。（特徴５）フランジ６０は、コントローラ保持部４２に対向する庇状壁である特徴１から特徴４のいずれかに記載のブロワモータ組立体。（特徴６）フランジ６０は、シャフト２０に対して垂直に延在している特徴２から特徴４のいずれかに記載のブロワモータ組立体。（特徴７）フランジ６０は、空気通路５４を区画するブロワモータケース１２の一部と一体である特徴１から特徴６のいずれかに記載のブロワモータ組立体。（特徴８）フランジ６０は、コントローラ４０の上における空気通路５４の空気流を案内する案内壁である特徴１から特徴７のいずれかに記載のブロワモータ組立体。（特徴９）空気通路５４は、空気入口５０から、ブロワモータ３０によって回転可能なシャフト２０に向かって延びている特徴１から特徴８のいずれかに記載のブロワモータ組立体。（特徴１０）空気通路５４は、シャフト２０に対して垂直に延在している特徴９に記載のブロワモータ組立体。
【００２５】
（特徴１１）ブロワモータケース１２と、ブロワモータケース１２内に収容されたブロワモータ３０と、ブロワモータケース１２内から延び出しており、ブロワモータ３０によって回転可能なシャフト２０と、ブロワモータケース１２内に形成されたコントローラ保持部４２と、コントローラ保持部４２に取り付けられたコントローラ４０と、ブロワモータケース１２の外に形成された空気入口５０と、空気入口５０からコントローラ保持部４２まで延在しており、コントローラ４０を冷却するための空気をコントローラ４０に導くブロワモータケース１２の空気通路５４と、空気入口５０の反対側における空気通路５４の端部に設けられたブロワモータケース１２のフランジ６０とを備え、フランジ６０は、空気入口５０と空気通路５４とを通った空気をコントローラ４０に向けるように、フランジ６０は、コントローラ保持部４２とコントローラ４０とに対向して配置されているブロワモータ組立体。（特徴１２）シャフト２０および空気通路５４は、互いに垂直に延びている特徴１１に記載のブロワモータ組立体。（特徴１３）フランジ６０及びシャフト２０は、互いに垂直に延びている特徴１１または特徴１２に記載のブロワモータ組立体。（特徴１４）シャフト２０は、ブロワモータケース１２の第２の端部１６の反対側にあるブロワモータケース１２の第１の端部１４から延び出しており、空気入口５０は、ブロワモータケース１２の第１の端部１４に区画されている特徴１１から特徴１３のいずれかに記載のブロワモータ組立体。（特徴１５）空気入口５０は、ブロワモータケース１２の外周にある特徴１１から特徴１４のいずれかに記載のブロワモータ組立体。（特徴１６）フランジ６０は、空気流のための庇状壁を提供している特徴１１から特徴１５のいずれかに記載のブロワモータ組立体。（特徴１７）フランジ６０は、コントローラ保持部４２に対向する壁である特徴１１から特徴１６のいずれかに記載のブロワモータ組立体。（特徴１８）フランジ６０は、コントローラ４０の全体よりも小さく延在している特徴１１から特徴１７のいずれかに記載のブロワモータ組立体。（特徴１９）空気通路５４は、空気入口５０からシャフト２０に向かって延びている特徴１１から特徴１８のいずれかに記載のブロワモータ組立体。（特徴２０）フランジ６０は、空気通路５４と一体である特徴１１から特徴１９のいずれかに記載のブロワモータ組立体。
【００２６】
上述の複数の実施形態の説明は、例示および説明のために提供されたものである。この開示は、網羅的であること、または開示を限定することを意図するものではない。特定の実施形態の個々の要素または特徴は、一般にその特定の実施形態に限定されないが、適用可能であれば、交換可能であり、特に示されていないまたは記載されていない場合でも選択された実施形態で使用できる。同じことは、多様に変化することができる。そのような変形は、開示からの逸脱とみなされるべきではなく、そのような変更のすべては、この開示の範囲内に含まれることが意図されている。
【００２７】
例示的な実施形態は、この開示が完全であるために提供されており、その範囲を当業者に完全に伝える。この開示の実施形態の完全な理解を提供するために、特定の構成部品、デバイス、および方法の例など、多くの具体的な詳細が示されている。特定の詳細を採用する必要はなく、例示的な実施形態は多くの異なる形態で実施することができ、いずれもこの開示の範囲を限定するものと解釈すべきでないことは、当業者には明らかであろう。いくつかの例示的な実施形態において、周知のプロセス（方法における段階）、周知のデバイス構造、および周知の技術は詳細には記載されていない。
【００２８】
この明細書で使用される用語は、特定の例示的な実施形態を説明する目的のためだけであり、限定することを意図するものではない。この明細書で使用されるように、単数形（定冠詞および不定冠詞）は、文脈が他に明白に示さない限り、複数形も含むことが意図されている。用語「備える」、「有する」、「含む」、および「持つ」は、包括的であり、従って、記載された特徴、整数、ステップ、操作、要素および／または構成部品の存在を特定するが、ひとつまたは複数の他の特徴、整数、ステップ、動作、要素、構成部品、および／またはそれらのグループの追加を除外しない。この明細書に記載の方法のステップ、プロセス、および動作は、特定の順序として具体的に特定されない限り、必ずしも説明または図示された特定の順序を必要とすると解釈されるべきではない。付加的または代替的なステップを用いることが可能であることも理解されるべきである。
【００２９】
ある要素または層が「上にある」、「連結されている」、「接続されている」または「結合されている」と言及されている場合、それは、他の要素、または他の層に対して、直接的に上に、連結され、接続され、または結合されていることがあり、さらに、介在要素または介在層が存在していることがある。対照的に、ある要素が別の要素または層に「直接的に上に」、「直接的に連結されている」、「直接的に接続されている」または「直接的に結合されている」と言及されている場合、介在要素または介在層は存在しない。要素間の関係を説明するために使用される他の言葉は、同様のやり方で（例えば、「間に」対「直接的に間に」、「隣接する」対「直接的に隣接する」など）解釈されるべきである。この明細書で使用される場合、用語「および／または」は、関連する列挙された１つまたは複数の項目に関する任意の組み合わせ、およびすべての組み合わせを含む。
【００３０】
第１、第２、第３などの用語は、様々な要素、構成部品、領域、層および／または区画を説明するために、この明細書で使用することができるが、これらの要素、構成部品、領域、層および／または区画はこれらの用語によって限定されるべきではない。これらの用語は、ある要素、構成部品、領域、層、または区画を、他の要素、構成部品、領域、層または区画から区別するためにのみ使用されてもよい。「第１」、「第２」および他の数値的な用語は、ここで使用される場合、文脈によって明白に示されない限り、手順または順序を意味するものではない。したがって、以下に説明する第１の「要素、構成部品、領域、層または区画」は、例示的な実施形態の教示から逸脱することなく、第２の「要素、構成部品、領域、層または区画」と呼ぶことができる。
【００３１】
空間的に相対的な用語「内」、「外」、「裏」、「下」、「低」、「上」、「高」などは、図示されているような、ひとつの要素または特徴の他の要素または特徴に対する関係を説明する記載を容易にするためにここでは利用されている。空間的に相対的な用語は、図面に描かれている向きに加えて、使用または操作中の装置の異なる向きを包含することを意図することができる。例えば、図中の装置がひっくり返されている場合、他の要素または機能の「下」または「裏」と記載された要素は、他の要素または機能の「上」に向けられる。したがって、例示された用語「下」は、上および下の両方の方向を含むことができる。この装置は、他の方向に向いていてもよく（９０度または他の向きに回転されてもよい）、この明細書で使用される空間的に相対的な記述子はそれに応じて解釈される。
【符号の説明】
【００３２】
１０  ブロワモータ組立体、
１２  ブロワモータケース、  １４  第１の端部、  １６  第２の端部、
２０  シャフト、
３０  モータ、
４０  コントローラ、  ４２  コントローラ保持部、
５０  空気入口、  ５２  外周、  ５４  空気通路、
６０  フランジ、
Ａ  空気流。
【図１】
2019077439.tif 000003
【図２】
2019077439.tif 000004